(57)【要約】【課題】釣竿を上下させながら保持する釣竿保持装置に関し、釣竿の揺動ストロークを変更でき、電動機や往復運動機構を内蔵したケーシング内への海水や湿気の浸入をより確実に防止できるようにする。【解決手段】竿受台２を揺動する駆動ユニット７は、基端を固定台１に枢支されたケーシング８と、軸方向移動自在に設けた往復動杆１１と、この往復動杆を囲んで装着された密閉蛇腹１５と、往復動杆１１を進退させる往復運動機構１０と、往復動杆１１の先端に軸着されて竿受台２に当接するローラ１３とを備え、この駆動ユニットを傾動するストローク調整ねじ１６を備えている。電動機９や往復運動機構１０は、密閉蛇腹１５で封止されたケーシング８内に設けられている。ストローク調整ねじ１６は、竿受台２の支点ピン３とローラ１３の当接位置との間隔を変化させ、釣竿の上下揺動ストロークを変化させる。【選択図】      図１
2006149278.tif 000002
【特許請求の範囲】
【請求項１】
固定台(1)と、この固定台に支点ピン(3)で枢支された竿受台(2)と、この竿受台を揺動する駆動ユニット(7)とを備えた釣竿保持装置において、前記駆動ユニットは、基端を前記固定台に枢支されたケーシング(8)と、このケーシングの先端側に軸方向移動自在に設けた往復動杆(11)と、この往復動杆を囲んでケーシング(8)との間に装着された密閉蛇腹(15)と、前記往復動杆を進退させる往復運動機構(10)と、前記往復動杆の先端に軸着されて前記竿受台に当接するローラ(13)とを備え、この駆動ユニットを前記ローラの転動方向に傾動するストローク調整ねじ(16)を備えている、釣竿保持装置。
【発明の詳細な説明】
【技術分野】
【０００１】
この発明は、釣船の船縁などに取り付けて釣竿を自動的に上下揺動させながら保持する釣竿保持装置に関するものである。
【背景技術】
【０００２】
魚釣りは、釣竿の先端から垂らした釣糸に餌と釣針とを付けて行われるが、魚の注意を引くため及び餌が生きているように見せかけるために、釣竿を上下に揺動させながら魚が食い付くのを待っている。しかし、竿を常に手で持って動かしているのは疲れるし、他の作業のために釣竿から手を離さなければならないこともあり、また一人で複数本の竿を使って釣をするときは、総ての竿を手で持って動かすことは、不可能である。そこで一時的に竿を保持する固定の竿受や、竿を自動的に揺動させながら保持する竿受装置が提案されている。
【０００３】
固定の竿受は、釣船の船縁に固定できるようにした基台に竿を支持する竿受台を取り付けただけのもので、竿を積極的に上下動させる構造ではない。竿受を船縁に取り付けたり、釣糸に浮きが設けられているような場合には、船の揺れや波によって水中の餌も動くけれども、魚の注意を引くための動きとしては、不十分な場合が多い。
【０００４】
そこで、電池や漁船のバッテリーで回転する電動機を駆動源として、竿受を積極的に揺動させる機構を備えた竿受装置が提案されている。これらの装置は、船縁等に固定的に設置される固定台と、この固定台に取り付けられた電動機及びカムやクランクなどの往復運動機構と、この往復運動機構により揺動駆動される竿受とを備えている。
【特許文献１】特開平７‐２４１１５３号公報
【特許文献２】特開平８‐１２６４５８号公報
【発明の開示】
【発明が解決しようとする課題】
【０００５】
釣竿の揺動機構を設けた竿受装置では、釣竿の長さや釣ろうとする魚の種類に応じて、竿の揺動周期や揺動ストロークを変更したいという要求がある。
【０００６】
しかし、釣竿を揺動させながら支持する従来の竿受装置は、竿の揺動ストロークを変更できないか、あるいは変更できるものでは構造が複雑であるという問題と、装置内に海水や湿気が浸入するのを防止するのが難しいという問題があった。
【０００７】
すなわち、この種の装置は、竿の往復運動機構としてカムやクランクを用いているが、これらの機構は、ストローク調整が困難であるため、竿の揺動ストロークを変化させることができるようにしようとすると、カムやクランクで往復揺動するレバーを設けて、このレバーと竿受台との連結位置を変更できるような機構を付加する必要があり、構造が複雑になってコスト高になる。
【０００８】
また、往復運動機構やストローク調整機構は、ケーシングに内蔵して海水や湿気の入らない密封構造とする必要があるが、特にストローク調整機構を設けた構造では、密封装置の構造が複雑になり、密封装置の損傷によって装置内部に海水や塩気を含んだ湿気が進入して、装置寿命を著しく低下させるという問題があった。
【０００９】
この発明は、竿受に取り付けた釣竿の揺動ストローク、すなわち竿受の揺動角を簡単に変更することが可能で、電動機や往復運動機構を内蔵したケーシング内への海水や湿気の浸入をより確実に防止することができ、しかも構造が簡単で安価に提供することが可能な自動揺動装置を備えた釣竿保持装置を提供することを課題としている。
【課題を解決するための手段】
【００１０】
この発明は、固定台１と、この固定台に支点ピン３で枢支された竿受台２と、この竿受台を揺動する駆動ユニット７とを備えた釣竿保持装置において、前記駆動ユニットは、基端を前記固定台に枢支されたケーシング８と、このケーシングの先端側に軸方向移動自在に設けた往復動杆１１と、この往復動杆を囲んでケーシング８との間に装着された密閉蛇腹１５と、前記往復動杆を進退させる往復運動機構１０と、前記往復動杆の先端に軸着されて前記竿受台に当接するローラ１３とを備え、この駆動ユニットを前記ローラの転動方向に傾動するストローク調整ねじ１６を備えている釣竿保持装置を提供することにより、上記課題を解決している。
【００１１】
上記のこの発明の釣竿保持装置は、固定台１を釣船の船縁などに固定して設置する。従来提供されている固定の（揺動機構を備えていない）竿受は、船縁に固定する基台と竿受台とをボルト等で締結した構造のものが多いので、既に提供されているこの種竿受装置の基台上に固定台１を取り付ける構造とするのが簡便であり、この発明の釣竿保持装置と固定の竿受とを必要に応じて交換して用いることもできるという利点がある。
【００１２】
往復運動機構１０は、電池や船に搭載されたバッテリー駆動の電動機を駆動源とするカム機構やクランク機構とするのが合理的で、クランクの回転中心を往復運動の軸線上からずらした早戻り機構などを用いることにより、上昇時と下降時で異なる速度とすることもできる。
【００１３】
電動機９や往復運動機構１０及び往復動杆１１の案内部１２は、密閉蛇腹１５で封止されたケーシング８内に設けられ、海水や湿気から保護されている。往復動杆１１の先端に設けるローラ１３は、テトラフルオロエチレン樹脂などの低摩擦樹脂製とするのが摩擦の低減及び耐久性の点で好ましい。
【００１４】
ストローク調整ねじ１６は、駆動ユニット７をその支点１８回りに傾動させ、竿受台２の支点ピン３とローラ１３の当接位置との間隔を変化させることにより、往復動杆１１が定まったストロークで往復動したときの竿受台２の揺動角を変化させ、これにより竿受台２に搭載された釣竿の上下揺動ストロークを変化させる。
【００１５】
この発明の釣竿保持装置は、竿受台２に当接する往復動杆１１の先端部分とストローク調整用のねじ１６がケーシング８の外に露出しているが、これらは樹脂製やステンレス製とすることによって、塩水や湿気に耐える構造とすることができると共に、錆びたり損傷した場合に容易に交換することができる。また、密閉蛇腹１５は、軸方向のみに進退する円筒ないし円錐形のものとすることができ、密閉が容易でかつ損傷し難い構造にできる。
【発明の効果】
【００１６】
この発明により、釣ろうとする魚の種類や釣竿の長さに応じて竿受台２の揺動角を簡単に調整することができ、かつ電動機９や往復運動機構１０をケーシング８内に密閉して耐久性を向上させた簡単な構造の自動竿揺動機構を備えた釣竿保持装置を提供できるという効果がある。
【発明を実施するための最良の形態】
【００１７】
図１は、この発明の好ましい一実施例を示した図である。図中、１は固定台、２は支点ピン３で固定台１に枢支された竿受台、４及び５は、竿受台２に設けられた竿受、一部を示す６は、竿受４、５で保持された釣竿である。
【００１８】
７は駆動ユニットで、８はそのケーシング、９は揺動駆動用の電動機、１０は往復運動機構、１１は案内部１２でケーシング８に軸方向移動自在に支持された往復動杆、１３は往復動杆１１の先端にブラケット１４を介して軸支された低摩擦樹脂ローラ、１５は往復動杆１１の先端とケーシング８の先端側端部との間に設けられた密閉蛇腹、２５は往復動杆１１の先端とケーシング８の先端側端部との間に設けられた圧縮コイルばねである。１６は駆動ユニット７の支点１８回りの角度を設定するストローク調整ねじである。
【００１９】
駆動ユニット７は、その基端の支点１８を固定台１に枢着され、先端のローラ１３が自重及び釣竿６の重さで支点ピン３回りに下方に揺動しようとする竿受台２の下面に当接している。図の往復運動機構１０は、クランク機構で電動機９の出力軸に基端を固定されたクランク１９と、当該クランクの先端と往復動杆１１の基端を枢支連結する連結ロッド２０で形成されている。往復動杆１１は丸棒で、これを案内するストロークベアリングや低摩擦樹脂ブッシュなどの案内部１２は、ケーシング８の上端内側に嵌着されている。
【００２０】
往復動杆１１の先端に設けた鍔状のブラケット１４とケーシング８の先端部との間には、往復動杆１１を上方に付勢する圧縮コイルばね２５が装架されている。また、ブラケット１４とケーシング８の先端部との間に、往復動杆１１の往復動部を密閉する蛇腹１５が、その上限端の固定部にパッキン等を介して気密に固定されている。ローラ１３は、ブラケット１４に自由回転状態で軸支されている。
【００２１】
ストローク調整ねじ１６は、基端に摘み２１を備えたねじで、中間にナット２２を螺合した後、先端に小さな係合ナット２３を螺合して接着剤で固定した構造である。ナット２３は、その前後面が球面となっている。固定台１にはストローク調整ねじ１６の装着部に側方（図の手前側）からナット２２及びねじ１６を挿入する凹部が形成してあり、またケーシング８の対応部分にもねじの先端と係合ナット２３とを側方から挿入する連結ブラケット２４が固着されている。ストローク調整ねじ１６は、ナット２３を含めて固定台１及び連結ブラケット２４の凹所に側方から挿入して装着される。
【００２２】
電動機９は、漁船のバッテリーで駆動するもので、たとえば自動車のワイパー駆動用の電動機を用いるのが小型で、かつ適当な減速比の減速機が内蔵されているために好都合である。この電動機に電気を供給する接点は、ケーシング８の適宜な箇所に設けておく。竿から電動機９に作用する負荷は、竿を上昇させるときに大きくなり下降時に小さくなる。圧縮コイルばね２５は、この負荷変動を均一にする作用をしている。このような往復動杆１１を上方に付勢するばねを設けることにより、電動機９の容量を小さくできる。
【００２３】
以上説明した装置は、固定台１を釣船の船縁に固定し、電動機９を回転駆動することにより、ローラ１３が上下動して、竿受台２を支点ピン３回りに揺動させることにより、釣竿６を上下に往復揺動させる。調整ねじ１６を螺進させると、竿受台の支点ピン３とローラ１３との間隔が大きくなり、釣竿６の揺動ストロークは小さくなる。逆に調整ねじ１６を退避させると、支点ピン３とローラ１３の距離が短くなって、釣竿６の揺動ストロークは大きくなる。
【００２４】
竿受台２は支点ピン３回りに揺動運動し、ローラ１３は往復動杆１１の軸方向に直線往復動するが、ローラ１３の転動により、力の伝達が円滑に行われる。また、ストローク調整ねじ１６を進退させたときの駆動ユニット７の揺動もローラ１３の回転によって竿受台２との間に摩擦を生ずることなく円滑に行われる。
【図面の簡単な説明】
【００２５】
【図１】この発明の一実施形態を模式的に示す側面図
【符号の説明】
【００２６】
１  固定台
２  竿受台
３  支点ピン
７  駆動ユニット
８  ケーシング
10  往復運動機構
11  往復動杆
13  低摩擦樹脂ローラ
15  密閉蛇腹
16  調整ねじ
【図１】
2006149278.tif 000003